【手続補正書】
【提出日】平成29年7月14日(2017.7.14)
【手続補正１】
【補正対象書類名】特許請求の範囲
【補正対象項目名】全文
【補正方法】変更
【補正の内容】
【特許請求の範囲】
【請求項１】
１つまたは複数のデータベアラを介してユーザ機器（ＵＥ）とのデータ接続を確立することと、
第１の無線アクセス技術（ＲＡＴ）または第２のＲＡＴを介して前記ＵＥから前記１つまたは複数のデータベアラの各データベアラのためのアップリンクトラヒックをルーティングするかどうかの第１の決定を行うことと、
前記第１のＲＡＴまたは前記第２のＲＡＴを介して前記ＵＥへ前記１つまたは複数のデータベアラの各データベアラのためのダウンリンクトラヒックをルーティングするかどうかの第２の決定を行うことと、
前記第１および第２の決定のうちの少なくとも１つを示す無線リソース制御（ＲＲＣ）メッセージを供給することと、
前記第１および第２の決定に基づいて前記データ接続に参加することと
を備える、基地局（ＢＳ）によるワイヤレス通信のための方法。
【請求項２】
前記第１の決定は、前記第１のＲＡＴを介してすべてのデータベアラのアップリンクトラヒックを送るための決定を備える、請求項１に記載の方法。
【請求項３】
前記第２の決定は、前記第１のＲＡＴおよび前記第２のＲＡＴの両方を介して１つまたは複数のデータベアラのダウンリンクトラヒックを送るための決定を備える、請求項２に記載の方法。
【請求項４】
前記第１のＲＡＴはワイヤレス広域ネットワーク（ＷＷＡＮ）を備え、前記第２のＲＡＴはワイヤレスローカルエリアネットワーク（ＷＬＡＮ）を備える、請求項３に記載の方法。
【請求項５】
前記第２の決定は、前記第１のＲＡＴおよび前記第２のＲＡＴを介してベアラのためのダウンリンクトラヒックを送るための決定を備える、請求項１に記載の方法。
【請求項６】
前記第１および第２のＲＡＴのうちの一方は、ワイヤレス広域ネットワーク（ＷＷＡＮ）を備え、
前記第１および第２のＲＡＴのうちの他方は、ワイヤレスローカルエリアネットワーク（ＷＬＡＮ）を備える、
請求項１に記載の方法。
【請求項７】
前記第１または第２の決定のうちの少なくとも１つは、アップリンクまたはダウンリンクトラヒックのうちの少なくとも１つが、特定のＲＡＴへルーティングされるべきであることを指定する予め定められた構成に基づく、請求項１に記載の方法。
【請求項８】
前記第１または第２の決定のうちの少なくとも１つは、前記第１のＲＡＴまたは前記第２のＲＡＴを介してルーティングされる前記１つまたは複数のデータベアラの予期されたパフォーマンスを備えるシステム有用性関数の最適化に基づく、請求項１に記載の方法。
【請求項９】
１つまたは複数のデータベアラが第１の無線アクセス技術（ＲＡＴ）および第２のＲＡＴを介して送られるべきであることを示す構成を備える無線リソース制御（ＲＲＣ）メッセージを受信することと、ここにおいて、前記１つまたは複数のデータベアラの各々のためのアップリンクおよびダウンリンクトラヒックは、前記第１のＲＡＴと前記第２のＲＡＴを介してルーティングするために独立して構成され、
前記受信された構成に応答して構成完了メッセージを送ることと
を備える、ユーザ機器（ＵＥ）によるワイヤレス通信のための方法。
【請求項１０】
前記第１のＲＡＴを介してデータベアラのためのアップリンクトラヒックを送ることと、
前記第１のＲＡＴと前記第２のＲＡＴを介して前記データベアラのためのダウンリンクトラヒックを受信することと
をさらに備える、請求項９に記載の方法。
【請求項１１】
前記第１のＲＡＴはＷＷＡＮを備える、請求項１０に記載の方法。
【請求項１２】
前記第１および第２のＲＡＴのうちの一方は、ワイヤレス広域ネットワーク（ＷＷＡＮ）を備え、
前記第１および第２のＲＡＴのうちの他方は、ワイヤレスローカルエリアネットワーク（ＷＬＡＮ）を備える、
請求項９に記載の方法。
【請求項１３】
チャネル状態報告を送ることをさらに備え、ここにおいて、前記受信された構成は、前記チャネル状態報告に基づく、請求項９に記載の方法。
【請求項１４】
１つまたは複数のデータベアラを介してユーザ機器（ＵＥ）とのデータ接続を確立するための手段と、
第１の無線アクセス技術（ＲＡＴ）または第２のＲＡＴを介して前記ＵＥから前記１つまたは複数のデータベアラの各データベアラのためのアップリンクトラヒックをルーティングするかどうかの第１の決定を行うための手段と、
前記第１のＲＡＴまたは前記第２のＲＡＴを介して前記ＵＥへ前記１つまたは複数のデータベアラの各データベアラのためのダウンリンクトラヒックをルーティングするかどうかの第２の決定を行うための手段と、
前記第１および第２の決定のうちの少なくとも１つを示す無線リソース制御（ＲＲＣ）メッセージを供給するための手段と、
前記第１および第２の決定に基づいて前記データ接続に参加するための手段と
を備える、ワイヤレス通信のための装置。
【請求項１５】
１つまたは複数のデータベアラが第１の無線アクセス技術（ＲＡＴ）および第２のＲＡＴを介して送られるべきであることを示す構成を備える無線リソース制御（ＲＲＣ）メッセージを受信するための手段と、ここにおいて、前記１つまたは複数のデータベアラの各々のためのアップリンクおよびダウンリンクトラヒックは、前記第１のＲＡＴと前記第２のＲＡＴを介してルーティングするために独立して構成され、
前記受信された構成に応答して構成完了メッセージを送るための手段と
を備える、ワイヤレス通信のための装置。
【手続補正２】
【補正対象書類名】明細書
【補正対象項目名】００９６
【補正方法】変更
【補正の内容】
【００９６】
[0104]  前述の内容が本開示の複数の態様に向けられる一方、本開示の他のおよびさらなる態様は、その基本的な範囲から逸脱することなく考案されることがあり得、その範囲は、次の特許請求の範囲によって決定される。
以下に、本願出願の当初の特許請求の範囲に記載された発明を付記する。
［Ｃ１］
１つまたは複数のデータベアラを介してユーザ機器（ＵＥ）とのデータ接続を確立することと、
第１の無線アクセス技術（ＲＡＴ）または第２のＲＡＴを介して前記ＵＥから各データベアラのためのアップリンクトラヒックをルーティングするかどうかの第１の決定を行うことと、
前記第１のＲＡＴまたは前記第２のＲＡＴを介して前記ＵＥへ各データベアラのためのダウンリンクトラヒックをルーティングするかどうかの第２の決定を行うことと、
前記第１および第２の決定に基づいて前記データ接続に参加することと
を備える、基地局（ＢＳ）によるワイヤレス通信のための方法。
［Ｃ２］
前記第１の決定は、前記第１のＲＡＴを介してすべてのデータベアラのアップリンクトラヒックを送るための決定を備える、Ｃ１に記載の方法。
［Ｃ３］
前記第２の決定は、前記第１のＲＡＴおよび前記第２のＲＡＴの両方を介して１つまたは複数のデータベアラのダウンリンクトラヒックを送るための決定を備える、Ｃ２に記載の方法。
［Ｃ４］
前記第１のＲＡＴはワイヤレス広域ネットワーク（ＷＷＡＮ）を備え、前記第２のＲＡＴはワイヤレスローカルエリアネットワーク（ＷＬＡＮ）を備える、Ｃ３に記載の方法。
［Ｃ５］
前記第２の決定は、前記第１のＲＡＴおよび前記第２のＲＡＴを介してベアラのためのダウンリンクトラヒックを送るための決定を備える、Ｃ１に記載の方法。
［Ｃ６］
前記第１および第２のＲＡＴのうちの一方は、ワイヤレス広域ネットワーク（ＷＷＡＮ）を備え、
前記第１および第２のＲＡＴのうちの他方は、ワイヤレスローカルエリアネットワーク（ＷＬＡＮ）を備える、
Ｃ１に記載の方法。
［Ｃ７］
前記第１または第２の決定のうちの少なくとも１つは、アップリンクまたはダウンリンクトラヒックのうちの少なくとも１つが、特定のＲＡＴへルーティングされるべきであることを指定する予め定められた構成に基づく、Ｃ１に記載の方法。
［Ｃ８］
前記第１または第２の決定のうちの少なくとも１つは、前記第１のＲＡＴまたは前記第２のＲＡＴを介してルーティングされる前記１つまたは複数のデータベアラの予期されたパフォーマンスを備えるシステム有用性関数の最適化に基づく、Ｃ１に記載の方法。
［Ｃ９］
前記第１および第２の決定のうちの少なくとも１つを示す無線リソース制御（ＲＲＣ）メッセージを供給することをさらに備える、Ｃ１に記載の方法。
［Ｃ１０］
１つまたは複数のデータベアラが第１の無線アクセス技術（ＲＡＴ）および第２のＲＡＴを介して送られるべきであることを示す構成を受信することと、ここにおいて、データベアラのためのアップリンクおよびダウンリンクトラヒックは、前記第１のＲＡＴと前記第２のＲＡＴを介してルーティングするために独立して構成され、
前記受信された構成に応答して構成完了メッセージを送ることと
を備える、ワイヤレス通信のための方法。
［Ｃ１１］
前記第１のＲＡＴを介してデータベアラのためのアップリンクトラヒックを送ることと、
前記第１のＲＡＴと前記第２のＲＡＴを介して前記データベアラのためのダウンリンクトラヒックを受信することと
をさらに備える、Ｃ１０に記載の方法。
［Ｃ１２］
前記第１のＲＡＴはＷＷＡＮを備える、Ｃ１１に記載の方法。
［Ｃ１３］
前記第１および第２のＲＡＴのうちの一方は、ワイヤレス広域ネットワーク（ＷＷＡＮ）を備え、
前記第１および第２のＲＡＴのうちの他方は、ワイヤレスローカルエリアネットワーク（ＷＬＡＮ）を備える、
Ｃ１０に記載の方法。
［Ｃ１４］
前記受信された構成は、無線リソース制御（ＲＲＣ）メッセージにおいて受信される、Ｃ１０に記載の方法。
［Ｃ１５］
チャネル状態報告を送ることをさらに備え、ここにおいて、前記受信された構成は、前記チャネル状態報告に基づく、Ｃ１０に記載の方法。
［Ｃ１６］
１つまたは複数のデータベアラを介してユーザ機器（ＵＥ）とのデータ接続を確立することと、
第１の無線アクセス技術（ＲＡＴ）または第２のＲＡＴを介して前記ＵＥから各データベアラのためのアップリンクトラヒックをルーティングするかどうかの第１の決定を行うことと、
前記第１のＲＡＴまたは前記第２のＲＡＴを介して前記ＵＥへ各データベアラのためのダウンリンクトラヒックをルーティングするかどうかの第２の決定を行うことと、
前記第１および第２の決定に基づいて前記データ接続に参加することと
を行うように構成されたプロセッサと、
前記プロセッサに結合されたメモリと
を備える、ワイヤレス通信のための装置。
［Ｃ１７］
前記第１の決定は、前記第１のＲＡＴを介してすべてのデータベアラのアップリンクトラヒックを送るための決定を備える、Ｃ１６に記載の装置。
［Ｃ１８］
前記第２の決定は、前記第１のＲＡＴおよび前記第２のＲＡＴの両方を介して１つまたは複数のデータベアラのダウンリンクトラヒックを送るための決定を備える、Ｃ１７に記載の装置。
［Ｃ１９］
前記第１のＲＡＴはワイヤレス広域ネットワーク（ＷＷＡＮ）を備え、前記第２のＲＡＴはワイヤレスローカルエリアネットワーク（ＷＬＡＮ）を備える、Ｃ１８に記載の装置。
［Ｃ２０］
前記第２の決定は、前記第１のＲＡＴおよび前記第２のＲＡＴの両方を介してベアラのためのダウンリンクトラヒックを送るための決定を備える、Ｃ１６に記載の装置。
［Ｃ２１］
前記第１および第２のＲＡＴのうちの一方は、ワイヤレス広域ネットワーク（ＷＷＡＮ）を備え、
前記第１および第２のＲＡＴのうちの他方は、ワイヤレスローカルエリアネットワーク（ＷＬＡＮ）を備える、
Ｃ１６に記載の装置。
［Ｃ２２］
前記第１または第２の決定のうちの少なくとも１つは、アップリンクまたはダウンリンクトラヒックのうちの少なくとも１つが、特定のＲＡＴへルーティングされるべきであることを指定する予め定められた構成に基づく、Ｃ１６に記載の装置。
［Ｃ２３］
前記第１または第２の決定のうちの少なくとも１つは、前記第１のＲＡＴまたは前記第２のＲＡＴを介してルーティングされる前記１つまたは複数のデータベアラの予期されたパフォーマンスを備えるシステム有用性関数の最適化に基づく、Ｃ１６に記載の装置。
［Ｃ２４］
前記プロセッサは、前記第１および第２の決定のうちの少なくとも１つを示す無線リソース制御（ＲＲＣ）メッセージを供給するようにさらに構成される、Ｃ１６に記載の装置。
［Ｃ２５］
１つまたは複数のデータベアラが第１の無線アクセス技術（ＲＡＴ）および第２のＲＡＴを介して送られるべきであることを示す構成を受信することと、ここにおいて、データベアラのためのアップリンクおよびダウンリンクトラヒックは、前記第１のＲＡＴと前記第２のＲＡＴを介してルーティングするために独立して構成され、
前記受信された構成に応答して構成完了メッセージを送ることと
を行うように構成されたプロセッサと、
前記プロセッサに結合されたメモリと
を備える、ワイヤレス通信のための装置。
［Ｃ２６］
前記プロセッサは、
前記第１のＲＡＴを介してデータベアラのためのアップリンクトラヒックを送ることと、
前記第１のＲＡＴと前記第２のＲＡＴを介して前記データベアラのためのダウンリンクトラヒックを受信することと
を行うようにさらに構成される、Ｃ２５に記載の装置。
［Ｃ２７］
前記第１のＲＡＴはＷＷＡＮを備える、Ｃ２６に記載の装置。
［Ｃ２８］
前記第１および第２のＲＡＴのうちの一方は、ワイヤレス広域ネットワーク（ＷＷＡＮ）を備え、
前記第１および第２のＲＡＴのうちの他方は、ワイヤレスローカルエリアネットワーク（ＷＬＡＮ）を備える、
Ｃ２５に記載の装置。
［Ｃ２９］
前記受信された構成は、無線リソース制御（ＲＲＣ）メッセージにおいて受信される、Ｃ２５に記載の装置。
［Ｃ３０］
前記プロセッサは、チャネル状態報告を送るようにさらに構成され、ここにおいて、前記受信された構成は、前記チャネル状態報告に基づく、Ｃ２５に記載の装置。